(57)【要約】【課題】括れ部が設けられた胴部に皺を生じさせることなくハーフシュリンクラベルを装着可能な合成樹脂製容器を提供する。【解決手段】内容物の注出口となる口部２と、口部２に肩部３を介して連なる胴部４と、胴部４の下端を閉塞する底部５とを備えたボトル形状の合成樹脂製容器１であって、胴部４に設けられた括れ部６と、胴部４の括れ部６における外表面の少なくとも一部に、全周に亘って設けられた凹凸７と、胴部４の外表面に装着され、少なくとも一部が凹凸７の上に配置されたハーフシュリンクラベル１０と、を有することを特徴とする合成樹脂製容器１。【選択図】図１
2019167157.tif 000002
【特許請求の範囲】
【請求項１】
内容物の注出口となる口部と、該口部に肩部を介して連なる胴部と、該胴部の下端を閉塞する底部とを備えたボトル形状の合成樹脂製容器であって、
前記胴部に設けられた括れ部と、
前記胴部の前記括れ部における外表面の少なくとも一部に、全周に亘って設けられた凹凸と、
前記胴部の外表面に装着され、少なくとも一部が前記凹凸の上に配置されたハーフシュリンクラベルと、を有することを特徴とする合成樹脂製容器。
【請求項２】
前記括れ部の最小径部分と前記底部の側における最大径部分との間の拡径領域に前記凹凸が形成され、前記ハーフシュリンクラベルの下端が前記凹凸の上に配置されている、請求項１に記載の合成樹脂製容器。
【請求項３】
前記ハーフシュリンクラベルの上端が前記肩部に配置されている、請求項２に記載の合成樹脂製容器。
【請求項４】
前記ハーフシュリンクラベルが全ての前記凹凸を覆っている、請求項１〜３の何れか１項に記載の合成樹脂製容器。
【請求項５】
前記ハーフシュリンクラベルの少なくとも前記凹凸を覆う部分が不透明である、請求項１〜４の何れか１項に記載の合成樹脂製容器。
【発明の詳細な説明】
【技術分野】
【０００１】
本発明は、内容物の注出口となる口部と、該口部に肩部を介して連なる胴部と、該胴部の下端を閉塞する底部とを備えたボトル形状の合成樹脂製容器に関する。
【背景技術】
【０００２】
例えばポリエチレンテレフタレート（ＰＥＴ）製のボトル（所謂ペットボトル）に代表されるようなボトル形状の合成樹脂製容器は、軽量で取り扱いが容易であること、内容物の保存安定性に優れること、コスト的に安価であることなどから、飲料用、食品用、化粧料用等の様々な用途に使用されている。
【０００３】
このような合成樹脂製容器として、内容物に関する情報等が記載されたシュリンクラベルが外表面に装着されたものが知られている。シュリンクラベルとしては、上端が肩部に配置されるとともに下端が底部（容器を載置面に正立させたときに載置面に接する接地面に向けて縮径する外表面の縮径部分）に配置されて胴部の全体を覆うフルシュリンクラベルと、下端が底部にまで達することなく胴部に配置されることで胴部の一部領域のみを覆うハーフシュリンクラベルとがあり、何れの場合も、円筒状に形成されたものが熱収縮することで合成樹脂製容器の外表面に密着した状態で装着される。
【０００４】
例えば特許文献１には、胴部の上方側の一部領域にハーフシュリンクラベル（熱収縮ラベル）が装着されたボトル形状の合成樹脂製容器が記載されている。
【先行技術文献】
【特許文献】
【０００５】
【特許文献１】実開平２−３４４４１号公報
【発明の概要】
【発明が解決しようとする課題】
【０００６】
上記のようなボトル形状の合成樹脂製容器として、胴部に括れ部が設けられたものが知られている。
【０００７】
フルシュリンクラベルは、その上端が肩部に配置されるとともに下端が底部に配置されており、熱収縮すると、上端が肩部に係止されて下方への移動が規制されるとともに下端が底部の縮径部分に係止されて上方への移動が規制されるので、胴部に括れ部が設けられていても熱収縮の際に上下方向の位置ずれを生じ難く、皺を生じることなく装着される。
【０００８】
しかし、ハーフシュリンクラベルは、その下端が底部により係止されない構成であるので、胴部に括れ部が設けられていると、ハーフシュリンクラベルの括れ部の最小径部分に対応する部分が当該最小径部分に向けて熱収縮したときに、その部分により引かれてハーフシュリンクラベルの下端が上方に向けた位置ずれを生じ、その位置ずれによりハーフシュリンクラベルに皺が発生してしまう虞があるという問題点があった。
【０００９】
本発明は、このような課題に鑑みてなされたものであり、その目的は、括れ部が設けられた胴部に皺を生じさせることなくハーフシュリンクラベルを装着可能な合成樹脂製容器を提供することにある。
【課題を解決するための手段】
【００１０】
本発明の合成樹脂製容器は、内容物の注出口となる口部と、該口部に肩部を介して連なる胴部と、該胴部の下端を閉塞する底部とを備えたボトル形状の合成樹脂製容器であって、前記胴部に設けられた括れ部と、前記胴部の前記括れ部における外表面の少なくとも一部に、全周に亘って設けられた凹凸と、前記胴部の外表面に装着され、少なくとも一部が前記凹凸の上に配置されたハーフシュリンクラベルと、を有することを特徴とする。
【００１１】
本発明の合成樹脂製容器は、上記構成において、前記括れ部の最小径部分と前記底部の側における最大径部分との間の拡径領域に前記凹凸が形成され、前記ハーフシュリンクラベルの下端が前記凹凸の上に配置されているのが好ましい。
【００１２】
本発明の合成樹脂製容器は、上記構成において、前記ハーフシュリンクラベルの上端が前記肩部に配置されているのが好ましい。
【００１３】
本発明の合成樹脂製容器は、上記構成において、前記ハーフシュリンクラベルが全ての前記凹凸を覆っているのが好ましい。
【００１４】
本発明の合成樹脂製容器は、上記構成において、前記ハーフシュリンクラベルの少なくとも前記凹凸を覆う部分が不透明であるのが好ましい。
【発明の効果】
【００１５】
本発明によれば、括れ部が設けられた胴部に皺を生じさせることなくハーフシュリンクラベルを装着可能な合成樹脂製容器を提供することができる。
【図面の簡単な説明】
【００１６】
【図１】本発明の一実施の形態である合成樹脂製容器の正面図である。
【図２】図１に示す凹凸の一例を拡大して示す図である。
【図３】図１に示す合成樹脂製容器の変形例を示す正面図である。
【発明を実施するための形態】
【００１７】
以下、図面を参照しつつ本発明をより具体的に例示説明する。
【００１８】
図１に示す本発明の一実施の形態である合成樹脂製容器１は、例えば炭酸飲料等の液体を内容物として収容するものであり、内容物の注出口となる円筒状の口部２と、口部２の下端に連なる略ドーム形状の肩部３と、口部２に肩部３を介して連なる略円筒状の胴部４と、胴部４の下端を閉塞するペタロイド型の底部５とを備えたボトル形状に形成されている。
【００１９】
ここで、本明細書及び特許請求の範囲においては、「上」及び「下」は、図１に示すように合成樹脂製容器１を口部２が上方を向く正立姿勢としたときにおける「上」及び「下」を意味するものとする。
【００２０】
合成樹脂製容器１は、ポリエチレンテレフタレート製のプリフォームを二軸延伸ブロー成形することにより所謂ペットボトルに構成されている。
【００２１】
合成樹脂製容器１は、ポリエチレンテレフタレート製に限らず、例えば延伸ポリプロピレン（ＯＰＰ）等の熱可塑性を有する他の合成樹脂材料からなるプリフォームを二軸延伸ブロー成形して形成されたものとすることもできる。また、合成樹脂製容器１の製法についても、プリフォームを二軸延伸ブロー成形する方法のみならず、例えば樹脂材料を射出成形したり、押出しブロー成形したりするなど、種々の製法を採用することができる。
【００２２】
口部２の外周面には雄ねじ２ａが形成されており、口部２を通して合成樹脂製容器１の内部に内容物が充填された後、この雄ねじ２ａに図示しないキャップをねじ結合することにより口部２を閉塞することができる。なお、口部２の外周面に雄ねじ２ａに替えてアンダーカット嵌合用の突起を設け、キャップを口部２に打栓することで口部２を閉塞する構成とすることもできる。
【００２３】
胴部４には括れ部６が設けられている。括れ部６は、胴部４の外径が細く狭まった部分であり、胴部４の上端（肩部３との連接部分）から下方に向けて徐々に縮径する縮径領域６ａと、胴部４の外径を最も小さくする最小径部分６ｂと、最小径部分６ｂから下方に向けて徐々に拡径する拡径領域６ｃとを有している。縮径領域６ａの上下方向長さは拡径領域６ｃの上下方向長さよりも長くなっており、最小径部分６ｂは、胴部４の上下方向の中心位置に対して底部５の側に偏った位置にある。また、拡径領域６ｃの下端は括れ部６の底部５の側の最大径部分６ｄとなっている。
【００２４】
胴部４に上記形状の括れ部６が設けられることにより、合成樹脂製容器１は手で把持し易い形状となっている。
【００２５】
胴部４の括れ部６における外表面の少なくとも一部には、その全周に亘って凹凸７が設けられている。本実施の形態においては、胴部４の、括れ部６の最小径部分６ｂと底部５の側における最大径部分６ｄとの間の拡径領域６ｃ全体に加えて、胴部４の外表面の最小径部分６ｂよりも上方の所定の領域及び最大径部分６ｄよりも下方の所定の領域に凹凸７が設けられている。図１において、凹凸７が設けられる領域をクロスハッチングで示す。
【００２６】
凹凸７は、その凸部７ｂが、下方を向くとともに周方向に延在する下面部分を有する形状とされている。図２に示すように、本実施の形態においては、凹凸７の形状は、それぞれ上方から下方に向けて延びる波形に形成された凹部７ａと凸部７ｂとを周方向に交互に並べた形状となっている。この場合、凸部７ｂの下方を向く下面部分は、周方向に対して所定角度で傾斜しつつ当該周方向に延在している。
【００２７】
合成樹脂製容器１の肩部３及び胴部４の外表面には、ハーフシュリンクラベル１０が装着されている。ハーフシュリンクラベル１０は、ポリスチレン（ＰＳ）やポリエチレンテレフタレート（ＰＥＴ）等の熱収縮性フィルムにより胴部４よりも大径の筒状に形成されたものを、肩部３及び胴部４の外側に被せた状態で熱風等により加熱して収縮させることで、肩部３及び胴部４の外表面に密着した状態となって装着されている。
【００２８】
ハーフシュリンクラベル１０の上端１０ａは肩部３の口部２に隣接した位置に配置されている。これにより、ハーフシュリンクラベル１０は肩部３の外表面の大部分を覆っている。
【００２９】
一方、ハーフシュリンクラベル１０の下端１０ｂは胴部４の括れ部６の拡径領域６ｃに配置されている。これにより、ハーフシュリンクラベル１０は胴部４の外表面の上方側の大部分を覆っている。
【００３０】
ハーフシュリンクラベル１０の下端１０ｂは、胴部４の括れ部６の拡径領域６ｃに配置されることで、拡径領域６ｃに設けられた凹凸７の上に位置している。すなわち、ハーフシュリンクラベル１０の下端１０ｂ側の一部分は、凹凸７の上に配置されている。凹凸７の上に配置されたハーフシュリンクラベル１０の下端１０ｂ側の一部分は、その熱収縮によって凹凸７に密着し、凹凸７により係止されて胴部４の外表面における上下方向への移動が規制されている。
【００３１】
凹凸７の凹部７ａに対する凸部７ｂの径方向外側に向けた突出高さは、凹凸７に密着したハーフシュリンクラベル１０を係止してその上下方向への移動を規制することができるとともに、ハーフシュリンクラベル１０の表面に凹凸７の形状がトレースされてその外観が損なわれない程度の高さに設定されるのが好ましい。
【００３２】
このように、本実施の形態の合成樹脂製容器１では、胴部４の外表面の、括れ部６の最小径部分６ｂと底部５の側における最大径部分６ｄとの間の拡径領域６ｃに、その全周に亘って凹凸７を設け、胴部４の外表面に装着されたハーフシュリンクラベル１０の一部を凹凸７の上に配置するようにしたので、ハーフシュリンクラベル１０を胴部４に装着するために熱収縮させる際に、ハーフシュリンクラベル１０の凹凸７の上に配置された一部が熱収縮により凹凸７に密着し、当該凹凸７により係止されて上方へ向けた移動が規制された状態となった後に、ハーフシュリンクラベル１０の括れ部６の最小径部分６ｂに対応する部分が当該最小径部分６ｂに向けて熱収縮されるようにすることができる。したがって、ハーフシュリンクラベル１０の下端１０ｂの上方に向けた位置ずれを凹凸７により規制した状態で、ハーフシュリンクラベル１０の括れ部６の最小径部分６ｂに対応する部分を当該最小径部分６ｂに向けて熱収縮させることができるので、ハーフシュリンクラベル１０の下端１０ｂが上方に向けた位置ずれを生じることを防止して、括れ部６が設けられた胴部４に皺を生じさせることなくハーフシュリンクラベル１０を装着することができる。
【００３３】
特に、本実施の形態の合成樹脂製容器１のように、ハーフシュリンクラベル１０の下端１０ｂを凹凸７の上に配置するようにした場合には、ハーフシュリンクラベル１０の下端１０ｂの上方へ向けた移動を凹凸７によって直接規制することができるので、ハーフシュリンクラベル１０の下端１０ｂが上方に向けた位置ずれを生じることをより確実に防止することができる。
【００３４】
さらに、本実施の形態の合成樹脂製容器１では、凹凸７を、括れ部６の最小径部分６ｂと底部５の側における最大径部分６ｄとの間の拡径領域６ｃに加えて、当該拡径領域６ｃよりも上方側にも設けるようにしたので、ハーフシュリンクラベル１０を胴部４に装着するために熱収縮させる際に、括れ部６の最小径部分６ｂよりも上側においてもハーフシュリンクラベル１０が凹凸７により係止されるようにして、ハーフシュリンクラベル１０の下端１０ｂが上方に向けた位置ずれを生じることをさらに確実に防止することができる。
【００３５】
さらに、ハーフシュリンクラベル１０の下端１０ｂの上方に向けた位置ずれに加えて皺の発生を防止することができるので、ハーフシュリンクラベル１０が装着された合成樹脂製容器１の美観を高めることができる。
【００３６】
さらに、本実施の形態の合成樹脂製容器１では、ハーフシュリンクラベル１０の上端１０ａを肩部３に配置するようにしたので、ハーフシュリンクラベル１０を胴部４に装着するために熱収縮させる際に、ハーフシュリンクラベル１０の上端１０ａが肩部３に密着して当該肩部３により係止されて下方へ向けた移動が規制された状態となった後に、ハーフシュリンクラベル１０の括れ部６の最小径部分６ｂに対応する部分が当該最小径部分６ｂに向けて熱収縮されるようにすることができる。したがって、ハーフシュリンクラベル１０の上端１０ａの下方に向けた位置ずれを肩部３により規制した状態で、ハーフシュリンクラベル１０の括れ部６の最小径部分６ｂに対応する部分を当該最小径部分６ｂに向けて熱収縮させることができるので、ハーフシュリンクラベル１０の上端１０ａが下方に向けた位置ずれを生じることを防止することができる。これにより、ハーフシュリンクラベル１０が装着された合成樹脂製容器１の美観をさらに高めることができる。
【００３７】
図３は、図１に示す合成樹脂製容器１の変形例を示す正面図である。図３においては、前述した部材に対応する部材には同一の符号を付してある。
【００３８】
図３に示すように、合成樹脂製容器１は、凹凸７が、括れ部６の最小径部分６ｂと底部５の側における最大径部分６ｄとの間の拡径領域６ｃにのみ設けられた構成とすることもできる。この場合、凹凸７が、拡径領域６ｃの一部にのみ設けられた構成としてもよい。このような構成においても、図１に示す場合と同様に、ハーフシュリンクラベル１０の下端１０ｂの上方に向けた位置ずれを凹凸７により規制した状態で、ハーフシュリンクラベル１０の括れ部６の最小径部分６ｂに対応する部分を当該最小径部分６ｂに向けて熱収縮させることができるので、ハーフシュリンクラベル１０の下端１０ｂが上方に向けた位置ずれを生じることを防止して、括れ部６が設けられた胴部４に皺を生じさせることなくハーフシュリンクラベル１０を装着することができる。
【００３９】
また、図３に示すように、ハーフシュリンクラベル１０の下端１０ｂを、括れ部６の最大径部分６ｄよりも下方であって底部５よりも上方に配置して、全ての凹凸７をハーフシュリンクラベル１０により覆った構成とすることもできる。このような構成により、凹凸７を外部から視認し難くして、合成樹脂製容器１の美観をさらに高めることができる。
【００４０】
さらに、ハーフシュリンクラベル１０は、少なくとも凹凸７を覆う部分を不透明とした構成とすることもできる。この場合、ハーフシュリンクラベル１０は、少なくとも凹凸７を覆う部分が不透明であれば、凹凸７を覆う部分以外の部分は透明であっても不透明であってもよい。ハーフシュリンクラベル１０の不透明な部分は、ハーフシュリンクラベル１０それ自体が有色の材質によって形成されることで不透明になっていてもよく、あるいは透明な材質で形成されたハーフシュリンクラベル１０が着色等されることで不透明とされた構成であってもよい。
【００４１】
図３に示すように、全ての凹凸７をハーフシュリンクラベル１０により覆った構成とした場合において、ハーフシュリンクラベル１０の凹凸７を覆う部分を不透明とすることにより、凹凸７を外部から視認できないようにして、合成樹脂製容器１の美観をさらに高めることができる。
【００４２】
なお、図１に示すように、一部の凹凸７のみをハーフシュリンクラベル１０により覆った構成とした場合においても、ハーフシュリンクラベル１０の凹凸７を覆う部分を不透明とすることができる。この場合においても、ハーフシュリンクラベル１０により覆われた部分における凹凸７を外部から視認できないようにして、合成樹脂製容器１の美観をさらに高めることができる。
【００４３】
本発明は前記実施の形態に限定されるものではなく、その要旨を逸脱しない範囲で種々変更可能であることはいうまでもない。
【００４４】
例えば、合成樹脂製容器１は、凹凸７が、括れ部６の最小径部分６ｂと口部２の側における最大径部分との間の縮径領域６ａに設けられた構成とすることもできる。この場合、凹凸７が、縮径領域６ａにのみ設けられた構成とすることもでき、縮径領域６ａと拡径領域６ｃの両方に設けられた構成とすることもできる。このように、凹凸７を、縮径領域６ａに設けた場合には、ハーフシュリンクラベル１０の上端を縮径領域６ａに配置するようにしてもよい。
【００４５】
例えば、凹凸７は、図２に示す形状に限らず、その凸部７ｂが、下方を向くとともに周方向に延在する下面部分を有する形状であり、胴部４の外表面に全周に亘って設けられていれば、種々の形状とすることができる。
【００４６】
また、図１に示す実施の形態の合成樹脂製容器１においても、ハーフシュリンクラベル１０の下端１０ｂを凹凸７の下端と一致する位置に配置して、全ての凹凸７をハーフシュリンクラベル１０で覆うようにしてもよい。この場合においても、ハーフシュリンクラベル１０の凹凸７を覆う部分を不透明とすることができ、これにより、凹凸７を外部から視認できないようにして、合成樹脂製容器１の美観をさらに高めることができる。
【００４７】
さらに、ハーフシュリンクラベル１０の上端１０ａは、肩部３に配置されるのが好ましいが、胴部４に配置するようにしてもよい。
【００４８】
さらに、合成樹脂製容器１に充填される内容物は、炭酸飲料に限らず、お茶等の他の飲料、食品、化粧料等としてもよい。これらの場合、合成樹脂製容器１の底部５は、ペタロイド型以外の形状とすることもできる。
【００４９】
さらに、合成樹脂製容器１は、胴部４が略円筒状に形成されたものに限らず、胴部４が略角筒状に形成されたものであってもよい。
【符号の説明】
【００５０】
１    合成樹脂製容器
２    口部
２ａ  雄ねじ
３    肩部
４    胴部
５    底部
６    括れ部
６ａ  縮径領域
６ｂ  最小径部分
６ｃ  拡径領域
６ｄ  最大径部分
７    凹凸
７ａ  凹部
７ｂ  凸部
１０    ハーフシュリンクラベル
１０ａ  上端
１０ｂ  下端
【図１】
2019167157.tif 000003
【図２】
2019167157.tif 000004
【図３】
2019167157.tif 000005